(57)【要約】【課題】製造工程が容易で、部品が簡単で、かつ干渉スペクトルを吸収する濾波特性を有するフィルターレンズを備える撮像レンズアセンブリを提供する。【解決手段】本発明による撮像レンズアセンブリは、収容部と絞りとを有するレンズ鏡筒と、前記収容部に設けられた第１レンズと、前記収容部に設けられた第２レンズと、を備える撮像レンズアセンブリであって、前記第１レンズと前記第２レンズのうち、少なくとも一つがフィルターレンズである。【選択図】図２
2006031029.tif 000002
【特許請求の範囲】
【請求項１】
収容部と絞りとを有するレンズ鏡筒と、前記収容部内に設けられた第１レンズと、前記収容部内に設けられた第２レンズと、を備える撮像レンズアセンブリであって、前記第１レンズと前記第２レンズのうち、少なくとも一つがフィルターレンズである、ことを特徴とする、撮像レンズアセンブリ。
【請求項２】
前記フィルターレンズは、特定波長の光線を吸収するレンズである、ことを特徴とする請求項１に記載の撮像レンズアセンブリ。
【請求項３】
前記フィルターレンズは、赤外線スペクトルと紫外線スペクトルを吸収する青色ガラス組成物から構成される、ことを特徴とする請求項１に記載の撮像レンズアセンブリ。
【請求項４】
それぞれ前記フィルターレンズの相対する両面に塗布された、少なくとも一つの反射防止膜とを、さらに備える、ことを特徴とする請求項３に記載の撮像レンズアセンブリ。
【請求項５】
前記フィルターレンズは、球面レンズまたは非球面レンズである、ことを特徴とする請求項１に記載の撮像レンズアセンブリ。
【請求項６】
前記第１レンズは、前記フィルターレンズであり、前記第２レンズは、プラスチックレンズである、ことを特徴とする請求項１に記載の撮像レンズアセンブリ。
【請求項７】
前記第１レンズは、前記フィルターレンズであり、前記第２レンズは、ガラスレンズである、ことを特徴とする請求項１に記載の撮像レンズアセンブリ。
【請求項８】
前記レンズ鏡筒と連結するためのホルダとを、さらに備える、ことを特徴とする請求項１に記載の撮像レンズアセンブリ。
【請求項９】
前記収容部内における前記第１レンズと前記第２レンズとの間に設けられる、前記フィルターレンズである第３レンズと、を、さらに備える、ことを特徴とする請求項１に記載の撮像レンズアセンブリ。
【発明の詳細な説明】
【技術分野】
【０００１】
本発明は、撮像レンズアセンブリに関し、特に干渉スペクトルを吸収するフィルターレンズを備える撮像レンズアセンブリに関する。
【背景技術】
【０００２】
図１に示すように、従来の撮像レンズアセンブリ１は、レンズ鏡筒１１と、第１レンズ１２と、第２レンズ１３と、カットフィルタ１４と、イメージセンサ１５と、ホルダ１６と、を備える。
【０００３】
レンズ鏡筒１１は、ホルダ１６に連結され、収容部１１１と絞り１１２とを有する。第１レンズ１２と第２レンズ１３は、収容部１１１内に設けられる。カットフィルタ１４は、ホルダ１６に設けられる。
【０００４】
イメージセンサ１５は、基板１７上に設けられる。基板１７は、例えばプリント回路板または可撓性基板である。ホルダ１６は、基板１７上に接着される。
【０００５】
なお、イメージセンサ１５は、例えば電荷結合素子(CCD, charge coupled device)または相補性金属酸化物半導体センサ(CMOS, complementary metal oxide semiconductor sensor)であり、絞り１１２を介して進入しかつ第１レンズ１２、第２レンズ１３およびカットフィルタ１４を通過する光線を検出するために設けられる。カットフィルタ１４は、イメージセンサ１５に干渉する赤外線スペクトルまたは紫外線スペクトルをカットするために設けられる。また、第１レンズ１２と第２レンズ１３は、プラスチック射出成形またはガラスモールド成形によって形成された非球面レンズであってもよく、研磨方法によって形成された球面レンズであってもよい。
【発明の開示】
【発明が解決しようとする課題】
【０００６】
しかし、カットフィルタ１４の清浄度がよくない場合(例えばその上に微細なパーティクルが堆積される)、光線の一部が遮蔽されため、イメージセンサ１５上の画素の一部が光線を受信できず、画像品質が影響される。カットフィルタ１４の清浄度が要求されるため、製造の歩留まりが低下し、かつコストも高くなる。これに対して、業者が湾曲度を有するレンズの表面に多層の赤外線カットフィルタ(Infrared rays filter)を塗布することにより、撮像レンズアセンブリの製造の歩留まりの向上及びコストの低減を図るが、この方法は、工程上で相対的に困難になるという問題があった。
【０００７】
本発明は、上記問題に鑑みてなされたものであり、製造工程が容易で、部品が簡単で、かつ干渉スペクトルを吸収する濾波特性を有するフィルターレンズを備える撮像レンズアセンブリを提供することを目的とする。
【課題を解決するための手段】
【０００８】
上記目的を達成するために、本発明による撮像レンズアセンブリは、収容部と絞りとを有するレンズ鏡筒と、前記収容部内に設けられた第１レンズと、前記収容部内に設けられた第２レンズと、を備える撮像レンズアセンブリであって、前記第１レンズと前記第２レンズのうち、少なくとも一つがフィルターレンズである。
【発明の効果】
【０００９】
本発明に係わる撮像レンズアセンブリは、特定スペクトルを吸収できるフィルターレンズを少なくとも一つ備えるため、このフィルターレンズによって、イメージセンサを干渉する光線をカットする外に、従来技術に比べ、カットフィルタまたは多層の赤外線カットフィルタを塗布したレンズなどのデバイスを設置する必要がないので、製造工程と組立過程では、より簡単な素子と工程で同様の効果が得られ、部品数を削減することもできる。
【発明を実施するための最良の形態】
【００１０】
以下、図面を参照しながら、本発明による好適な実施の形態における撮像レンズアセンブリについて説明する。なお、同一の部品について同一の符号を付すことによりその説明を省略する。
【００１１】
図２は、本発明による実施例における撮像レンズアセンブリを示す断面図である。図２に示すように、本実施例における撮像レンズアセンブリ２は、収容部２１１と絞り２１２とを有するレンズ鏡筒２１と、収容部２１１内に設けられた第１レンズ２２と、収容部２１１内に設けられた第２レンズ２３と、を備える。なお、第１レンズ２２と第２レンズ２３のうち、少なくとも一つがフィルターレンズである。
【００１２】
フィルターレンズは、特定波長の光線を吸収するレンズである。本実施例において、フィルターレンズは、赤外線スペクトルと紫外線スペクトルを吸収する青色ガラス組成物から構成される。撮像レンズアセンブリの撮像原理として、光線が絞り２１２から入り込んだ後、第１レンズ２２と第２レンズ２３とを通過し、最後にイメージセンサ２４によって感光され、結像させる。ここで、撮像レンズアセンブリに設置されたフィルターレンズは、イメージセンサ２４に干渉する不要光をカットするために用いられる。本実施例において、フィルターレンズは、例えば球面レンズまたは非球面レンズである。イメージセンサ２４は、例えば電荷結合素子(CCD, charge coupled device)または相補性金属酸化物半導体センサ(CMOS, complementary metal oxide semiconductor sensor)である。
【００１３】
なお、撮像レンズアセンブリ２は、さらに、少なくとも一つの反射防止膜(Anti-Reflection Coating, AR Coating)と、を備える。これらの反射防止膜は、それぞれフィルターレンズの相対する両面に塗布される。反射防止膜は、反射を防止するため、フィルターレンズの光透過率を増加し、さらに光学システムの解析度を向上する。
【００１４】
本実施例において、フィルターレンズの工程では、青色ガラス組成物をガラス材とし、モールド成形または射出成形によって上記フィルターレンズを作製し、それから上記フィルターレンズの相対する両面に反射防止膜を塗布することで、作製が完了する。
【００１５】
なお、本実施例において、第１レンズ２２は、フィルターレンズであり、第２レンズ２３は、プラスチックレンズまたはガラスレンズであってもよい。反対に、第１レンズ２２は、プラスチックレンズまたはガラスレンズであり、第２レンズ２３は、フィルターレンズであってもよい。もちろん、第１レンズ２２と第２レンズ２３は、ともにフィルターレンズであってもよい。干渉スペクトルをカットすることができれば、如何なる組み合せであってもよい。
【００１６】
さらに、撮像レンズアセンブリ２は、さらにホルダ２５と、を備える。レンズ鏡筒２１は、ホルダ２５上に連結され、イメージセンサ２４とともに、撮像光学システムを組み合わせる。この撮像光学システムは、携帯電話の撮像モジュールに適用することができる。
【００１７】
図３は、本発明によるもう一つの実施例における撮像レンズアセンブリを示す断面図である。図３に示すように、本実施例において、撮像レンズアセンブリ２は、さらに第３レンズ２６と、を備える。第３レンズ２６は、収容部２１１内における第１レンズ２２と第２レンズ２３との間に設けられる。なお、第３レンズ２６は、上述した第１レンズ２２と第２レンズ２３と同様に、フィルターレンズ、プラスチックレンズ、ガラスレンズのうちの何れか一つである。
【００１８】
以上、本発明の実施の形態について図面を参照して詳述してきたが、具体的な構成は、これらの実施例に限られるものではなく、本発明の要旨を逸脱しない範囲の設計変更等があっても、本発明に含まれる。例えば、撮像レンズアセンブリ２は、さらに、第４のレンズと、を備えることもできる。
【図面の簡単な説明】
【００１９】
【図１】従来の撮像レンズアセンブリを示す断面図である。
【図２】本発明による実施例における撮像レンズアセンブリを示す断面図である。
【図３】本発明によるもう一つの実施例における撮像レンズアセンブリを示す断面図である。
【符号の説明】
【００２０】
１  撮像レンズアセンブリ
１１  レンズ鏡筒
１１１  収容部
１１２  絞り
１２  第１レンズ
１３  第２レンズ
１４  カットフィルタ
１５  イメージセンサ
１６  ホルダ
１７  基板
２  フィルターレンズを備える撮像レンズアセンブリ
２１  レンズ鏡筒
２１１  収容部
２１２  絞り
２２  第１レンズ
２３  第２レンズ
２４  イメージセンサ
２５  ホルダ
２６  第３レンズ
【図１】
2006031029.tif 000003
【図２】
2006031029.tif 000004
【図３】
2006031029.tif 000005